(57)【要約】    【課題】  通常時の伸縮扉体の伸縮を安全にできると共に、回転収納時に戸車が回転レールに沿って不用意に移動することがなく、伸縮扉体を簡単な操作で容易且つ安全に回転収納できるようにする。    【解決手段】  ガイドレール３に沿って走行する戸車５と、戸車５により吊り下げられた伸縮扉体４とを備え、ガイドレール３の吊り元側に、収縮状態の伸縮扉体４を吊り下げた状態で吊り元側のヒンジ手段６廻りに回転収納可能な回転レール２３を備え、回転レール２３をガイドレール３の固定レール２２との接続位置Ｂにロックするレールロック手段３９を備え、伸縮扉体４の移動側端枠９に、レールロック手段３９をロック・アンロック操作し、レールロック手段３９がアンロック状態のときに回転レール２３側に係合するレールロック操作手段６３を備える。【選択図】    図３
2006274553.tif 000002
【特許請求の範囲】
【請求項１】
ガイドレール（３）に沿って走行する戸車（５）と、該戸車（５）により吊り下げられた伸縮扉体（４）とを備え、前記ガイドレール（３）の吊り元側に、収縮状態の前記伸縮扉体（４）を吊り下げた状態で前記吊り元側のヒンジ手段（６）廻りに回転収納可能な回転レール（２３）を備えた吊り下げ式伸縮扉において、前記回転レール（２３）を前記ガイドレール（３）の固定レール（２２）との接続位置（Ｂ）にロックするレールロック手段（３９）を備え、前記伸縮扉体（４）の移動側端枠（９）に、前記レールロック手段（３９）をロック・アンロック操作し且つ該レールロック手段（３９）がアンロック状態のときに前記回転レール（２３）側に係合するレールロック操作手段（６３）を備えたことを特徴とする吊り下げ式伸縮扉。
【請求項２】
前記レールロック手段（３９）は前記固定レール（２２）側の被係合具（４３）と、前記回転レール（２３）側で前記被係合具（４３）に対して上側から係脱自在に係合する係合具（４５）とを備え、前記レールロック操作手段（６３）は前記移動側端枠（９）に上下方向に摺動自在に設けられ且つ前記係合具（４５）を下側から係脱操作する操作ロッド（６６）を備えたことを特徴とする請求項１に記載の吊り下げ式伸縮扉。
【請求項３】
前記係合具（４５）が枢支された支持具（４４）に、前記操作ロッド（６６）が下側から係脱自在に係合する係合部（４４ａ）を設けたことを特徴とする請求項２に記載の吊り下げ式伸縮扉。
【請求項４】
前記操作ロッド（６６）を前記レールロック手段（３９）のアンロック状態に保持する保持手段（６９）を設けたことを特徴とする請求項２又は３に記載の吊り下げ式伸縮扉。
【発明の詳細な説明】
【技術分野】
【０００１】
本発明は、ガイドレールに沿って走行する戸車により伸縮扉体を吊り下げて成る吊り下げ式伸縮扉、取り分け吊り元側で収縮状態の伸縮扉体を回転収納する回転収納装置に関するものである。
【背景技術】
【０００２】
従来、吊り下げ式伸縮扉において、吊り元支柱、戸当たり支柱の上部間に上枠を介してガイドレールを架設し、このガイドレールに沿って走行する複数個の戸車と、この各戸車により吊り下げられたパンタグラフ機構付き等の伸縮扉体とを備え、ガイドレールを固定レールとその吊り元側の回転レールとに分割し、回転レールを固定レールに対する接続位置と後方の回転収納位置との間で吊り元側のヒンジ手段により縦軸廻りに回転自在に枢支しておき、伸縮扉体を吊り元側に収縮させた後、回転レールを回転収納位置へと回転させて収縮状態の伸縮扉体を吊り下げ状態のままで回転収納するようにしたものがある（非特許文献１）。
【非特許文献１】四国化成工業発行「ユニットホールディングゲート」の取付・取扱説明書（ＮＯ９６０３１５−００１）第１９頁「１５回転枠の操作方法」
【発明の開示】
【発明が解決しようとする課題】
【０００３】
この種の吊り下げ式伸縮扉において、通常時の伸縮扉体の伸縮を安全にでき、また回転収納時に戸車が回転レールに沿って不用意に移動することがなく、伸縮扉体を簡単な操作で容易且つ安全に回転収納できるようにするには、次のような要請がある。即ち、通常時には、戸車が回転レールと固定レールとの相互間を走行するため、回転レールを固定レールに接続した状態で確実に固定しておく必要がある。
【０００４】
一方、伸縮扉体の回転収納時には、戸車を介して回転レールに伸縮扉体を吊り下げた状態のままで、回転レールをガイドレールの固定レールとの接続位置から外して回転収納位置へと回転させるため、回転レールを接続位置で容易にロック・アンロック操作でき、しかも回転レールのアンロック状態では戸車が回転レール上で移動しないように固定しておく必要がある。
【０００５】
本発明は、このような従来の要請に鑑み、通常時の伸縮扉体の伸縮を安全にできると共に、回転収納時に戸車が回転レールに沿って不用意に移動することがなく、伸縮扉体を簡単な操作で容易且つ安全に回転収納できる吊り下げ式伸縮扉を提供することを目的とする。
【課題を解決するための手段】
【０００６】
本発明は、ガイドレール３に沿って走行する戸車５と、該戸車５により吊り下げられた伸縮扉体４とを備え、前記ガイドレール３の吊り元側に、収縮状態の前記伸縮扉体４を吊り下げた状態で前記吊り元側のヒンジ手段６廻りに回転収納可能な回転レール２３を備えた吊り下げ式伸縮扉において、前記回転レール２３を前記ガイドレール３の固定レール２２との接続位置Ｂにロックするレールロック手段３９を備え、前記伸縮扉体４の移動側端枠９に、前記レールロック手段３９をロック・アンロック操作し且つ該レールロック手段３９がアンロック状態のときに前記回転レール２３側に係合するレールロック操作手段６３を備えたものである。
【０００７】
前記レールロック手段３９は前記固定レール２２側の被係合具４３と、前記回転レール２３側で前記被係合具４３に対して上側から係脱自在に係合する係合具４５とを備え、前記レールロック操作手段６３は前記移動側端枠９に上下方向に摺動自在に設けられ且つ前記係合具４５を下側から係脱操作する操作ロッド６６を備えたものでもよい。
【０００８】
前記係合具４５が枢支された支持具４４に、前記操作ロッド６６が下側から係脱自在に係合する係合部４４ａを設けてもよい。前記操作ロッド６６を前記レールロック手段３９のアンロック状態に保持する保持手段６９を設けてもよい。
【発明の効果】
【０００９】
本発明では、回転レール２３を固定レール２２との接続位置Ｂにロックするレールロック手段３９を備え、伸縮扉体４の移動側端枠９に、レールロック手段３９をロック・アンロック操作し且つ該レールロック手段３９がアンロック状態のときに回転レール２３側に係合するレールロック操作手段６３を備えているので、通常時の伸縮扉体４の伸縮を安全にできると共に、回転収納時に戸車５が回転レール２３に沿って不用意に移動することがなく、伸縮扉体４を簡単な操作で容易且つ安全に回転収納できる。
【発明を実施するための最良の形態】
【００１０】
以下、本発明の実施例を図面に基づいて詳述する。図１乃至図２０は本発明に係る吊り下げ式伸縮扉の第１の実施例を例示する。
【００１１】
この吊り下げ式伸縮扉は左右両側に開閉する左右対称な両開き式であって、図１及び図２に示すように、出入口等の地面ｇ側の左右両側に立設された左右一対の吊り元支柱１と、この吊り元支柱１の上部間に左右方向に架設された上枠２と、この上枠２の下側に左右方向に装着されたガイドレール３と、左右の吊り元支柱１間にガイドレール３に沿って左右方向に伸縮自在に配置された左右一対の伸縮扉体４と、ガイドレール３に沿って左右方向に走行し且つ各伸縮扉体４を吊り下げ状に支持する複数個の戸車５とを備え、各伸縮扉体４は吊り元側に収縮させた収縮状態でヒンジ手段６廻りに内外方向（伸縮扉の前後方向）の内側（後方）の回転収納位置Ａ（図２参照）に回転収納可能である。
【００１２】
各伸縮扉体４は左右方向に１個又は複数個、例えば２個の扉面体７を接続して成り、その一端側にはヒンジ手段６により吊り元支柱１に連結された吊り元側端枠８が設けられ、また他端側には施錠側端枠である移動側端枠９が設けられている。吊り元側端枠８、移動側端枠９は、その内外方向の中央が扉面体７の中央と略一致するように、伸縮扉体４の略同一面上に設けられている。
【００１３】
各扉面体７は、各左右方向に伸縮自在に構成された上下二列のパンタグラフ機構１０と、このパンタグラフ機構１０の内外両側に左右方向に等間隔をおいて配置され且つパンタグラフ機構１０に連結された複数本の縦桟１１とを有する。伸縮扉体４の各扉面体７の対向端側の縦桟１１は帯状の連結部材１２を介して連結され、その連結部材１２に、伸長状態の中間位置で地面ｇ側の落とし孔１３に係脱自在に係合する落とし棒１４が設けられている。
【００１４】
両伸縮扉体４の移動側端枠９は左右方向の略中央で互いに当接可能であり、その各移動側端枠９には開閉用の把手１５、当接状態で互いに施錠する施錠手段の他に、最大伸長位置（図１の実線状態）、吊り元側の収縮位置（図２の一点鎖線状態）、及び回転収納位置Ａで地面ｇ側の落とし孔１６等に係脱自在に係合する落とし棒１７が設けられている。
【００１５】
ガイドレール３は図４、図５及び図１０に示すように断面角形Ｃ字状等であって、上壁部１８と、この上壁部１８の前後両端から下方に延びる前後一対の側壁部１９と、各側壁部１９の下端から内外方向に内向きに屈曲する前後一対の車輪走行部２０と、両車輪走行部２０の間に設けられた開口部２１とを左右方向（長手方向）の全長に備えている。
【００１６】
そして、このガイドレール３は左右方向の中間の固定レール２２と、この固定レール２２の左右方向の両端側で各吊り元支柱１側に配置された回転レール２３とを備えている。固定レール２２は上枠２の前端下部のリブ状の突出部２４に固定され、また突出部２４は上枠２の左右方向の全長にわたって一体に設けられており、吊り元端側では回転レール２３のストッパーとして機能する。なお、固定レール２２は図１１に示すように、回転レール２３との対向端縁は、前側が吊り元支柱１側となり、後側がそれと反対側となるように斜め方向に傾斜している。
【００１７】
回転レール２３は図３〜図７に示すように、その吊り元側が吊り元側端枠８の上端部に片持ち状に固定され、また吊り元側端枠８は吊り元支柱１に対してヒンジ手段６により縦軸心廻りに回転自在に枢支されている。そして、回転レール２３は、固定レール２２に対して略一直線状に接続する接続位置Ｂ（図２、図１１参照）と、吊り元支柱１の後方側の回転収納位置Ａとの間でヒンジ手段６廻りに回転自在である。なお、回転レール２３の回転範囲は、この実施例では略９０度程度であるが、回転収納位置Ａの設定如何で適宜決定すればよい。
【００１８】
吊り元支柱１は角筒状等であり、この吊り元支柱１の伸縮扉体４側の側面に、内外両側に突出するヒンジ手段６と回転止め手段２６を介して吊り元側端枠８が装着されている。ヒンジ手段６は図５、図６、図８に示すように、上下に配置された固定ブラケット２７及び可動ブラケット２８と、その端部同士を回転自在に枢着する縦軸２５とを備え、各ブラケット２７，２８が吊り元支柱１及び吊り元側端枠８の対向面に固定されている。ヒンジ手段６は吊り元側端枠８の上下方向に所定の間隔をおいて複数個設けられている。
【００１９】
回転止め手段２６は吊り元側端枠８を回転レール２３の接続位置Ｂ側に保持するためのもので、伸縮扉体４がヒンジ手段６の縦軸２５廻りに回転収納位置Ａ側へと回転したときに離脱し、逆に接続位置Ｂ側へと回転したときに係合するように双方向係脱式になっている。
【００２０】
そして、この回転止め手段２６は図５、図６、図８に示すように吊り元側端枠８に固定され且つ先端部の上面側に係合凹部３０ａが形成された固定ブラケット３０と、この固定ブラケット３０の上側で吊り元側端枠８に固定された可動ブラケット３１と、可動ブラケット３１の先端部に組み込まれた係合球等の係合子３２及びバネ３３とを有する。
【００２１】
係合凹部３０ａは固定ブラケット３０の先端部の受け部３０ｂに設けられている。可動ブラケット３１は先端に筒状部３１ａを有し、その筒状部３１ａに、下側に突出して係合凹部３０ａに係脱自在に係合する係合子３２と、この係合子３２を下方（係合方向）に付勢するバネ３３とが上下に着脱自在に組み込まれており、その上側に筒状部３１ａを塞ぐプラグ３１ｂが着脱自在に螺合されている。受け部３０ｂの上端部の外周には、係合子３２が係合凹部３０ａに係合し易くなるようにテーパー状等の案内部を設けてもよい。
【００２２】
戸車５は図１０及び図１１に示すように、左右方向に長い戸車枠３４と、この戸車枠３４の前後左右に配置され且つガイドレール３の車輪走行部２０上を左右方向に転動する４個（複数個）の車輪３５とを備えている。戸車枠３４には、車輪走行部２０間の開口部２１を経てガイドレール３の下側に突出するボルト等の吊り具３６が中央に設けられ、この吊り具３６が伸縮扉体４の移動側端枠９側の前後一対の縦桟１１、及び中間の前後一対の縦桟１１の上端間に装着された金具３７の中央部に固定されている。
【００２３】
従って、戸車５は伸縮扉体４の内外方向の略中央に、戸車５を案内する回転レール２３は伸縮扉体４の略中央に夫々配置されており、回転レール２３は伸縮扉体４の略中心を通る平面上に設けられている。なお、伸縮扉体４は中間部に配置された２個の戸車５と、移動側端枠９上の戸車５とによりガイドレール３に吊り下げられている。
【００２４】
固定レール２２と回転レール２３との接続部の近傍には、図３に示すように接続位置Ｂの回転レール２３を下側から受けるレール受け具３８と、回転レール２３を接続位置Ｂで回転不能にロックするレールロック手段３９とが、ガイドレール３の内外両側に設けられている。また回転レール２３には、移動端側の戸車５を回転レール２３に対して移動不能にロックする戸車ロック手段４０が設けられ、この戸車ロック手段４０に対応して戸車ロック操作手段４１が設けられている。
【００２５】
レール受け具３８は図９及び図１０に示すように、回転レール２３の遊端側を下側から受ける受け部３８ａと、この受け部３８ａの前端から起立する取り付け部３８ｂとを一体に備え、固定レール２２から回転レール２３側に突出した状態でその取り付け部３８ｂが固定レール２２の前面にネジ、リベット等により固定されている。そして、回転レール２３はヒンジ手段６の縦軸２５廻りの回転によりレール受け具３８の受け部３８ａに対して後側から係脱自在である。なお、レール受け具３８の後端部には、回転レール２３を受け部３８ａ上へと案内する傾斜案内部３８ｃが設けられている。
【００２６】
レールロック手段３９は図９〜図１１に示すように、固定レール２２の後面にネジ、リベット等の固定具により固定された被係合具４３と、回転レール２３の後面にネジ、リベット等により固定された支持具４４と、この支持具４４上に前後方向の支軸４６により上下動自在に枢支され且つ被係合具４３に対して上側から係脱自在に係合する係合具４５とを備え、ガイドレール３の後側に配置されている。
【００２７】
係合具４５は下側の幅が薄くなるＶ字状等の楔状であって、ガイドレール３と略平行に左右方向に配置され、吊り元側端部が支軸４６により支持具４４の吊り元側端部に上下動自在に枢着されている。そして、被係合具４３、支持具４４は係合具４５が上側から係脱自在に係合するＶ字状等の受け溝４３ｂ，４４ｂを有し、また支持具４４には支軸４６と被係合具４３との略中央等の中間部分に、係合具４５の下側で上下方向に貫通する係合孔等の係合部４４a が形成されている。
【００２８】
戸車ロック手段４０は図９〜図１１に示すように、支持具４４の吊り元側の上側近傍で回転レール２３に固定された保持体４８と、この保持体４８に前後方向に摺動自在に挿通され且つ先端部が戸車５に後側から係脱自在に係合するロックピン４９と、ロックピン４９を係合方向に付勢するバネ５０とを備えている。保持体４８及びロックピン４９は、戸車枠３４の上側近傍で左右の車輪３５間に対応して配置されている。ロックピン４９は先端が回転レール２３の後側の側壁部１９を貫通して左右の車輪３５間に出退し、また後端が保持体４８から後方に突出している。バネ５０はコイル状であり、保持体４８内でロックピン４９に套嵌されている。
【００２９】
戸車ロック操作手段４１は図９〜図１１に示すように、回転レール２３を接続位置Ｂから回転収納位置Ａ側へと回転させたときに戸車ロック手段４０をロック操作し、回転レール２３を接続位置Ｂに戻したときに戸車ロック手段４０をアンロック操作するためのものであり、ロックピン４９の突出端部に固定された円板状、その他の被押圧部材５１と、回転レール２３の上側で上枠２の下面に固定され且つ回転レール２３から後方に突出する押圧部材５２とを備えている。
【００３０】
押圧部材５２は板材等の突起から成り、保持体４８の上側で被押圧部材５１の上部と対応しており、回転レール２３が接続位置Ｂのときに被押圧部材５１を介してロックピン４９をアンロック位置に押圧する。なお、押圧部材５２の後端には、回転レール２３を押圧部材５２の下側へと案内する傾斜案内部５２ａが設けられている。
【００３１】
吊り元側端枠８は図４〜図６に示すように、吊り元支柱１と反対側が開放する平面コ字状であって、吊り元支柱１に対応する端壁部８ａと、この端壁部８ａの前後両端から吊り元支柱１と反対側に向かって屈曲する前後一対の側壁部８ｂとを備え、各側壁部８ｂの開放端側に吊り元側の前後一対の縦桟１１を一体に備えている。そして、この吊り元側端枠８は、上端部等の各ヒンジ手段６、回転止め手段２６に対応する部分がその内面に沿って屈曲する平面コ字状の補強板５３により補強されている。
【００３２】
回転レール２３は図５及び図６に示すように、前後一対の側壁部８ｂとの間に所定の間隔を置いて吊り元側端枠８の上端部の略中央に嵌合状に配置され、その吊り元側が吊り元側端枠８の上端部に片持ち状に固定されている。そして、吊り元側端枠８と回転レール２３との接続部分は、回転レール２３の中央に配置された主補強具５４と、回転レール２３の前後両側に配置された前後一対の副補強具５５とにより補強されている。
【００３３】
主補強具５４は図４〜図６に示すように略直角三角形状又はＬ字状であって、ガイドレール３の開口部２１に嵌合する前後厚さの本体部５４ａを有し、その上側に回転レール２３に対応するレール取り付け部５４ｂが、外側に吊り元側端枠８に対応する枠取り付け部５４ｃが互いに略直角方向に設けられている。本体部５４ａは板材を枠取り付け部５４ｃ側で連結するようにコ字状に屈曲したものであって、その上側に外へと屈曲するレール取り付け部５４ｂが設けられている。
【００３４】
そして、主補強具５４は本体部５４ａを回転レール２３の開口部２１に嵌め込んだ状態で、各レール取り付け部５４ｂが左右方向に複数本（３本）のネジ５６により回転レール２３の上壁部１８に固定され、また枠取り付け部５４ｃが上下方向の複数本（２本）のネジ５７ａ，５７ｂにより補強板５３を介して吊り元側端枠８の端壁部８ａに固定されている。
【００３５】
主補強具５４の枠取り付け部５４ｃと吊り元側端枠８との間には、回転レール２３を接続位置Ｂから回転収納位置Ａ側へと回転したとき、即ち回転レール２３がレール受け具３８から外れたときに伸縮扉体４の重量で回転レール２３が下がっても略水平状態を維持できるように、吊り元側端枠８に対する回転レール２３の取り付け角度を上向き勝手に調整可能な角度調整手段５８が設けられている。
【００３６】
角度調整手段５８は、枠取り付け部５４ｃの下端部に吊り元支柱１と反対側から進退自在に螺合された調整ネジ５８ａを有する。この調整ネジ５８ａは先端が補強板５３を介して吊り元側端枠８の端壁部８ａに当接しており、ドライバ等の工具により回転操作したときに進退して、枠取り付け部５４ｃと吊り元側端枠８の端壁部８ａとの下端部側の隙間を調整するようになっている。なお、調整ネジ５８ａの上側の２本のネジ５７ａ，５７ｂは、調整ネジ５８ａとは逆に吊り元支柱１側から吊り元側端枠８の端壁部８ａ、補強板５３を貫通して枠取り付け部５４ｃに螺合されている。
【００３７】
各副補強具５５は外側起立部５５ａと内側起立部５５ｂとを有する側面視Ｕ字状であって、回転レール２３の前後両側でその側壁部１９と吊り元側端枠８の各側壁部８ｂとの間に介在され、夫々に対してネジ６０、ボルト６１等で固定されている。ネジ６０は吊り元側端枠８の側壁部８ｂの挿通孔６０ａ、補強板５３の側壁部５３ａの挿通孔６０ｂを経て副補強具５５の外側起立部５５ａのネジ孔６０ｃに螺合する。ボルト６１は副補強具５５の内側起立部５５ｂの挿通孔６１ａ、回転レール２３の側壁部１９の挿通孔６１ｂを経て、回転レール２３の側壁部１９の内側の当て板６２のネジ孔６１ｃに螺合している。挿通孔６０ａ，６０ｂ，６１ａ，６１ｂ等は、回転レール２３の角度調整に支障を来さないようにネジ６０、ボルト６１の直径に比して適度な遊びを有する大きさとなっている。なお、挿通孔６０ａ，６０ｂ，６１ａ，６１ｂは、最上位のネジ５７ａを中心とする円弧状の長孔に形成してもよいし、斜め方向に真っ直ぐな長孔にしてもよい。
【００３８】
移動側端枠９は図１２〜図１５に示すように、開放側に前後一対の縦桟１１が形成されたコ字状の連結部９ａと、連結部９ａの中央部分から突出する角筒状の当接枠部９ｂとを一体に備えている。移動側端枠９の当接枠部９ｂには、レールロック手段３９をロック・アンロック操作し、レールロック手段３９がアンロック状態のときに回転レール２３側に係合するレールロック操作手段６３と、移動側端枠９を所定位置に固定するための落とし棒１７とが設けられている。
【００３９】
レールロック操作手段６３は図１２及び図１４に示すように、把手１５の上側で移動側端枠９の当接枠部９ｂに上下方向に装着された溝付きの保持部材６５と、この保持部材６５により伸縮扉体４に対して上下方向に摺動自在に保持された操作ロッド６６と、この操作ロッド６６の下端部に操作軸６７を介して設けられた操作摘まみ６８と、操作ロッド６６を上昇位置及び下降位置に保持する保持手段６９とを備え、移動側端枠９の後側に設けられている。
【００４０】
操作ロッド６６は操作摘まみ６８の上下方向の操作により、支持具４４の係合部４４ａに下側から係脱自在であると共に、その上側の係合具４５を下側から押して上下方向に係脱操作可能である。操作軸６７は操作ロッド６６に前後方向に摺動自在に挿入され、その後端側に操作摘まみ６８が固定されている。
【００４１】
保持手段６９は、保持部材６５の溝底側に形成された上下２個の係合部６５ａ，６５ｂと、操作軸６７の先端に形成され且つ係合部６５ａ，６５ｂに係脱自在に係合する係合突部６７ａと、操作ロッド６６と係合突部６７ａとの間で操作軸６７に套嵌され且つ係合突部６７ａを係合方向に付勢するコイル状のバネ７０とを備えている。そして、この保持手段６９は、係合具４５が被係合具４３から離脱し且つ操作ロッド６６が支持具４４の係合部４４ａに係合する上昇位置（図９の２点鎖線位置）と、係合具４５が被係合具４３に係合し且つ操作ロッド６６が支持具４４の係合部４４ａから下方に離脱する下降位置（図９の実線位置）とに操作ロッド６６を択一的に保持可能である。
【００４２】
上下２個の係合部６５ａ，６５ｂの内、その上側の係合部６５ａには、操作ロッド６６が支持具４４の係合部４４ａを貫通して係合具４５を離脱位置（図９の２点鎖線位置）まで押し上げたときに係合突部６７ａが係合し、また下側の係合部６５ｂには、操作ロッド６６が支持具４４の係合部４４ａから下方に離脱する離脱位置まで下降したときに係合突部６７ａが係合して、操作ロッド６６を各位置に保持するようになっている。
【００４３】
落とし棒１７は図１３及び図１５に示すように、把手１５の下側で移動側端枠９の当接枠部９ｂ内に上下方向に配置され、中間の案内部材７２と下端の案内金具７３とにより上下方向に摺動自在に支持されている。落とし棒１７の上端部には、操作軸７４を介して当接枠部９ｂの前後両側に操作摘まみ７５が設けられ、また操作軸７４又は操作摘まみ７５は当接枠部９ｂに形成された上下方向の長孔７６内で上下動自在である。
【００４４】
落とし棒１７には係合部１７ａとその上側の偏平部１７ｂとが上下方向に形成され、また案内部材７２には係合部１７ａに係脱自在に係合して落とし棒１７を上昇位置に保持する板バネ７７が設けられている。案内部材７２は取り付け台７２ａを介して当接枠部９ｂの内部に固定されている。
【００４５】
板バネ７７は上下方向の中間部に弾性突部７７ａを有し、案内部材７２内に上下方向に配置され、その上下両端がネジ７８等で案内部材７２に固定されている。弾性突部７７ａは落とし棒１７を上昇位置に上昇させたときに係合部１７ａに係合して、落とし棒１７を上昇位置に保持するようになっている。なお、弾性突部７７ａは落とし棒１７を下方に落としたときに偏平部１７ｂに摺動自在に当接する。
【００４６】
前後の連結部材１２は図１６〜図１８に示すように、その両者間に介在された上下方向に複数個の連結金具８０にネジ等により固定されている。中間の落とし棒１４は、前後の連結部材１２間の略中央で下部側の複数個（２個）の連結金具８０により上下動自在に保持されている。落とし棒１４の上端部には、前後方向の操作軸８１を介して各連結部材１２の外側に操作摘まみ８２が設けられ、また操作軸８１は連結部材１２に形成された上下方向の長孔８３内で上下動自在である。
【００４７】
各連結部材１２は隣り合う縦桟１１に左右方向の内側から当接して間隔を規制する規制部１２ａが設けられ、この各規制部１２ａに、図１６〜図１８に示すように操作軸８１に下側から係脱自在に係合して落とし棒１４を上昇位置に保持する板バネ８４が相対向して設けられている。板バネ８４は上下方向の中間部に弾性突部８４ａを有し、その上下両端がリベット８５等で規制部１２ａに固定されている。弾性突部８４ａは落とし棒１４を上昇位置まで上昇させたときに操作軸８１に下側から係合して、落とし棒１４を上昇位置に保持する。
【００４８】
このような構成の吊り下げ式伸縮扉では、各伸縮扉体４の移動側端枠９の把手１５を把持して左右方向に操作すれば、ガイドレール３に沿って複数個の戸車５が走行して、その戸車５を介して吊り下げ状態の伸縮扉体４が左右方向に伸縮する。このため出入口等を容易に開閉できる。
【００４９】
出入口等を閉鎖する場合には、各伸縮扉体４の移動側端枠９同士を当接させた後、両移動側端枠９を施錠手段で施錠する。また必要に応じて各落とし棒１７を地面ｇ側の落とし孔１６に落とし込んで、各伸縮扉体４をロックする。出入口等を開放する場合には、図２に一点鎖線で示すように各伸縮扉体４を吊り元支柱１側へと移動させて収縮させるか、又は図２に２点鎖線で示すように収縮状態の伸縮扉体４をヒンジ手段６の縦軸２５廻りに回転収納位置Ａまで回転させて後方に収納する。
【００５０】
通常、回転レール２３は図１１に示すように固定レール２２と接続する接続位置Ｂにあり、その接続位置Ｂでレールロック手段３９によりロックされている。即ち、レールロック手段３９の係合具４５が被係合具４３に上側から係合して、回転レール２３が縦軸２５廻りに不安定に回転しないように固定している。特に係合具４５が楔状であって、この係合具４５が被係合具４３のＶ字状の受け溝４３ｂに係合するため、回転レール２３の前後方向のガタツキを防止できる。このため各戸車５は固定レール２２と回転レール２３との相互間で自由に走行でき、伸縮扉体４の開閉に何等支障を来すことはない。
【００５１】
回転レール２３は吊り元側端枠８の上端部に片持ち状に固定しているため、回転レール２３の遊端側に上下方向の枠部材等がなく、前側から見た場合にも外観上の体裁が非常に良好である。また回転レール２３の遊端側はレール受け具３８上に乗っているので、後述のように回転レール２３が吊り元側端枠８に対して片持ち状であるにも拘わらず、回転レール２３の遊端側の垂れ下がり等を未然に防止できる。
【００５２】
更に回転レール２３が接続位置Ｂにあるときは、図１０に示すように戸車ロック操作手段４１の被押圧部材５１が押圧部材５２に当接しているため、ロックピン４９がバネ５０に抗して後側に押圧されてアンロック位置にある。このため戸車５は戸車ロック手段４０に関係なく回転レール２３上を走行できる。
【００５３】
伸縮扉体４の回転収納に際しては、先ず伸縮扉体４を図３に示すように吊り元支柱１側で最小状態まで収縮させる。すると伸縮扉体４の３個の戸車５が全て回転レール２３側に移動し、伸縮扉体４が戸車５を介して回転レール２３に吊り下がった状態となる。
【００５４】
そこで、次にレールロック操作手段６３の操作摘まみ６８を上側へと操作し、操作ロッド６６を下降位置（図９の実線位置）から上昇位置（図９の二点鎖線位置）へと上昇させる。このとき操作ロッド６６の上端が、図９に二点鎖線で示すように支持具４４の係合部４４ａに係合し、この伸縮扉体４の移動側端枠９を操作ロッド６６、支持具４４を介して回転レール２３に移動不能にロックする。
【００５５】
このため操作ロッド６６が係合部４４ａに係合した後に、誤操作等により移動側端枠９に伸長方向の外力が加わっても、移動側端枠９が移動して戸車５が回転レール２３から離脱したり、収縮状態の伸縮扉体４が不測に伸長する等の問題はない。また移動側端枠９が操作ロッド６６、支持具４４を介して回転レール２３に移動不能にロックされているため、回転レール２３が吊り元側端枠８に対して片持ちであるにも拘わらず、回転レール２３と伸縮扉体４の移動側端枠９とを一体的に回転させることができる。
【００５６】
操作ロッド６６が図９の二点鎖線位置まで上昇すると、その上端でレールロック手段３９の係合具４５を押し上げるので、係合具４５が図９に二点鎖線で示すように支軸４６廻りに回動して上昇し、被係合具４３から離脱する。これによってレールロック手段３９がアンロック状態となり、係合具４５による回転レール２３の接続位置Ｂでのロックを解除でき、回転レール２３はヒンジ手段６の縦軸２５廻りに回転収納位置Ａへと回転可能な状態となる。しかし、回転止め手段２６が伸縮扉体４の吊り元側端枠８を接続位置Ｂに保持しているので、回転レール２３が不安定に回転することはない。
【００５７】
そして、操作ロッド６６が上昇すると、操作軸６７の係合突部６７ａが上側の係合部６５ａに係合するため、保持手段６９により操作ロッド６６を上昇位置に保持できる。従って、操作ロッド６６を上昇させてレールロック手段３９をアンロック操作すれば、保持手段６９により操作ロッド６６を介して係合具４５をアンロック状態に維持でき、誤操作等により操作ロッド６６が下降しない限り係合具４５が下がることはない。
【００５８】
レールロック手段３９のアンロック操作後、伸縮扉体４の移動側端枠９側を回転収納位置Ａ側へと図２、図１９のａ矢示方向に操作すると、図１９に示すように回転レール２３の遊端側がレール受け具３８から外れると共に、回転レール２３の回転に伴って戸車ロック操作手段４１が戸車ロック手段４０をロック操作する。即ち、回転レール２３が図１９に示すように後方へとａ矢示方向に回転すると、戸車ロック操作手段４１の被押圧部材５１が押圧部材５２から後方に離れて行くため、戸車ロック手段４０のロックピン４９が、図１９に示すようにバネ５０に押されて移動端側の戸車５側へと前進し一対の車輪３５間に挿入される。
【００５９】
このように回転レール２３を後方へと回転させると、直ちに戸車ロック手段４０により回転レール２３に対して移動端側の戸車５を略移動不能にロックできる。従って、回転レール２３が接続位置Ｂから後方側へと回転した状態において、仮に誤操作で操作ロッド６６が下降して支持具４４の係合部４４ａから外れるようなことがあっても、移動側端枠９を吊り下げる戸車５が移動不能であるため、戸車５が回転レール２３から離脱して伸縮扉体４が伸長するような惧れはなく、伸縮扉体４の回転時の安全性が著しく向上する。
【００６０】
また回転レール２３が後方へと回転するときに、回転止め手段２６の係合子３２が受け部３０ｂにより押圧されて上昇し係合凹部３０ａから離脱する。このため回転止め手段２６を備えているにも拘わらず、そのレールロック手段３９のアンロック操作後、直ちに回転レール２３の回転動作に移行でき、操作性が向上する。
【００６１】
その後、収縮状態の伸縮扉体４を回転レール２３により吊り下げた状態のままで、回転レール２３、吊り元側端枠８と一体に伸縮扉体４をヒンジ手段６の縦軸２５廻りに回転収納位置Ａまで回転させる。このとき伸縮扉体４の移動側端枠９に備えた操作ロッド６６が支持具４４の係合部４４ａに貫通しているので、単に戸車５を介して移動側端枠９を吊り下げただけの場合に比較して、回転レール２３の下側での伸縮扉体４の揺れ等を少なくでき、回転収納位置Ａへとスムーズに回転させることができる。そして、回転収納位置Ａまで回転すれば、必要に応じて落とし棒１７により伸縮扉体４をロックする。
【００６２】
回転収納位置Ａから伸縮扉体４を戻す場合には、ヒンジ手段６廻りに図１９の反ａ矢示方向へと回転させる。このとき回転レール２３が接続位置Ｂに接近すれば、その遊端側がレール受け具３８上に乗り上がる。このため接続位置Ｂでは、回転レール２３を吊り元側端枠８とレール受け具３８とで両持ち状に支持できる。従って、回転レール２３は吊り元側端枠８と一体にヒンジ手段６の縦軸２５廻りに回転可能であるにも拘わらず、固定レール２２に接続した状態で安定的に支持でき、伸縮扉体４の重量等による遊端側の垂れ下がり等を防止できる。
【００６３】
回転レール２３が接続位置Ｂに接近すれば、戸車ロック操作手段４１の被押圧部材５１が上枠２側の押圧部材５２に当接し、この押圧部材５２によって被押圧部材５１がバネ５０に抗して後方へと押圧されるので、回転レール２３の回転に伴って戸車ロック手段４０のロックピン４９が後方へと移動し、戸車５の一対の車輪３５間から後方へと離脱する。このため回転レール２３を接続位置Ｂへと戻すだけで戸車ロック操作手段４１により戸車ロック手段４０をアンロック操作でき、戸車ロック手段４０がアンロック状態となる。従って、各戸車５は回転レール２３に沿って走行可能な状態となる。
【００６４】
回転レール２３が接続位置Ｂに到達すると、上枠２の突出部２４に当接して、固定レール２２と接続した状態で停止する。また回転止め手段２６の係合子３２が受け部３０ｂの上端に案内されたバネ３３に抗しながら上昇し、受け部３０ｂの外周を乗り越えて係合凹部３０ａに係合し、伸縮扉体４、回転レール２３を接続位置Ｂに保持する。
【００６５】
その後、レールロック操作手段６３をアンロック操作して、その操作ロッド６６を下降位置まで引き下げる。これによってレールロック手段３９の係合具４５が支軸４６廻りに下方へと回動して被係合具４３に係合するため、回転レール２３をレールロック手段３９により接続位置Ｂで再度ロックでき、回転レール２３、固定レール２２の相互間で戸車５が自在に走行可能な状態になる。
【００６６】
また係合具４５が被係合具４３に係合した後、操作ロッド６６が支持具４４の係合部４４ａから離脱して、操作ロッド６６による回転レール２３と移動側端枠９とのロックを解除でき、移動側端枠９が左右方向に自由に移動可能な状態となる。このため回転レール２３を接続位置Ｂに戻し、レールロック操作手段６３をアンロック操作すれば、ガイドレール３に沿って伸縮扉体４を自由に伸縮させることができる。
【００６７】
この実施例では、伸縮扉体４の一端側の吊り元側端枠８を吊り元支柱１に対してヒンジ手段６廻りに回転自在に枢着し、その吊り元側端枠８の上端部に、ガイドレール３の一部の回転レール２３を片持ち状に取り付けているので、伸縮扉体４の収縮状態の如何に関係なく、吊り元側端枠８を含む伸縮扉体４と回転レール２３を略同一面上に配置できる。このため吊り下げ式伸縮扉全体の内外方向の寸法を小さくできるので、少ないスペースに設置できると共に、回転収納時の伸縮扉体４の厚さも薄くできる。
【００６８】
また回転レール２３の吊り元側を吊り元側端枠８の上端部に各補強具５４，５５を介して取り付けているため、伸縮扉体４と回転レール２３とが略同一平面上で片持ち状であるにも拘わらず、吊り元側端枠８に対して回転レール２３を強固に固定できる。特に主補強具５４と吊り元側端枠８との間には、吊り元側端枠８に対する回転レール２３の取り付け角度を調整する角度調整手段５８があり、この角度調整手段５８により回転レール２３を上向き勝手に調整できるので、回転レール２３単独で伸縮扉体４を支持するときにも、その重量によって回転レール２３が水平状態よりも下方に垂れ下がらないように維持できる。
【００６９】
角度調整手段５８による取り付け角度の調整時には、先ず図２０に示すように主補強具５４の枠取り付け部５４ｃの最上位のネジ５７ａを締め付け、その下側のネジ５７ｂを緩めておき、その状態で調整ネジ５８ａをドライバ等の工具で回転操作する。すると調整ネジ５８ａの先端が補強板５３に対して吊り元側端枠８の端壁部８ａに当接するため、図２０に示すように最上位のネジ５７ａの締め付け部分を支点として主補強具５４の角度が変化し、吊り元側端枠８に対する回転レール２３の取り付け角度を調整できる。
【００７０】
そして、伸縮扉体４の重量、回転レール２３の剛性等を考慮して、回転レール２３がレール受け具３８から離脱し、収縮状態の伸縮扉体４側の重量を回転レール２３で支持する状態において、回転レール２３が略水平状態となる角度に調整した後、下側のネジ５７ｂを締め付けて固定する。このようにすれば角度調整手段５８の構造を簡単にでき、しかも回転レール２３の吊り元側端枠８に対する角度を容易に調整でき、ガイドレール３に伸縮扉体４を吊り下げた後での調整も可能である。
【００７１】
伸縮扉体４を地面ｇ側にロックする場合には、落とし棒１４，１７を上昇位置から下方へと操作して落とし孔１３，１６等に落とし込む。各落とし棒１４，１７は板バネ７７，８４により上昇位置で弾性的に維持することにより、簡単な保持構造により落とし棒１４，１７を上昇位置に容易且つ確実に保持できる。
【００７２】
図２１〜図２３は本発明の第２の実施例を例示する。この吊り下げ式伸縮扉は図２１〜図２３に示すように、上部側のガイドレール３の他に、地面ｇ側に溝状等の下部ガイドレール９０を備え、伸縮扉体４の下端部に、その下部ガイドレール９０に沿って案内される被案内部９１が設けられている。被案内部９１は縦軸心廻りに回転する回転ローラ、又は突起等により構成され、伸縮扉体４の移動側端枠９、及びその中間部分の縦桟１１等に設けられている。
【００７３】
下部ガイドレール９０の吊り元端側には、収縮状態の伸縮扉体４が回転収納位置Ａへと回転できるように、被案内部９１を下部ガイドレール９０から後方へ離脱させるための切欠き部９２が後壁部９０ａに形成されている。その他の構成は、第１の実施例と略同じである。このような伸縮扉の場合にも、前述と同様に実施可能である。
【００７４】
図２４〜図２６は本発明の第３の実施例を例示する。この吊り下げ式伸縮扉は図２４〜図２６に示すように、移動側端枠９に、ガイドレール３により案内され且つ移動側端枠９側の戸車５と協働して移動側端枠９をガイドレール３に沿った施錠姿勢等の所定姿勢に保持する保持部材９５が設けられている。移動側端枠９には、ガイドレール３の長手方向に所定の間隔を置いて、その吊り元側に戸車５が、移動端側に保持部材９５が夫々配置されている。保持部材９５はガイドレール３の前後の車輪走行部２０間の開口部２１に嵌合して縦軸９６廻りに回転自在な案内ローラ９７により構成されている。なお、縦軸９６はボルト等により構成され、移動側端枠９の上端に上下調整可能に固定されている。
【００７５】
このように保持部材９５が戸車５と協働して移動側端枠９を施錠姿勢等の所定姿勢に保持するため、移動側端枠９の姿勢保持を目的として複数種類の戸車５を準備する必要がなく、容易且つ安価に実施できる。しかもガイドレール３の開口部２１に嵌合して縦軸９６廻りに回転する案内ローラ９７により保持部材９５を構成しているため、構造的に非常に簡単にできる。
【００７６】
図２７は本発明の第４の実施例を例示する。この回転止め手段２６は図２７に示すように、固定ブラケット３０に、係合凹部３０ａを有する雄ネジ体９８が螺合され、可動ブラケット３１に、係合子３２及びバネ３３を内蔵する雄ネジ体９９が螺合されている。各ブラケット３０，３１の先端側には雌ネジ孔９８ａ，９９ａが形成され、その雌ネジ孔９８ａ，９９ａに着脱自在に雄ネジ体９８，９９が螺合されている。係合子３２は雄ネジ体９９から離脱しないようになっている。
【００７７】
雄ネジ体９８は上端部にすり鉢状の係合凹部３０ａと、その外周のテーパー状等の案内部９８ｂとが形成され、また下端側にドライバー等の工具係合用の操作部９８ｃが設けられている。雄ネジ体９９には、その上端側にドライバー等の工具係合用の操作部９９ｃが設けられている。回転止め手段２６はこのように構成してもよい。
【００７８】
図２８〜図３１は本発明の第５の実施例を例示する。このレールロック手段３９の係合具４５は、その前後両側に略平行に形成された垂直状の平坦面４５ｃと、この両平坦面４５ｃ間の下側に形成された下向き円弧状の被案内面４５ｄとを有する断面Ｕ字状である。被係合具４３の受け溝４３ｂは、係合具４５の平坦面４５ｃ側を前後両側から挟む垂直状の平坦面４３ｃと、係合具４５の被案内面４５ｄを下側から受ける円弧状の受け面４３ｄとを有する形状になっている。なお、支持具４４には、底壁部４４ｃの後部側の左右両端に係合具４５用の支軸４６の支持部４４ｄと、係合具４５の左右方向の中間部を後側から規制する規制部４４ｅとが設けられている。そして、支持具４４の規制部４４ｅ、底壁部４４ｃ及びその前側の立ち上がり部分は、係合具４５の形状に対応して被係合具４３の受け溝４３ｂと略同様の形状になっている。
【００７９】
従って、係合具４５が被係合具４３に係合する際には、その被案内面４５ｄを前後の平坦面４３ｃで受け溝４３ｂ内へと案内できる。また係合具４５が被係合具４３に係合した係合状態では、形状的に略一致する係合具４５の被案内面４５ｄと被係合具４３の受け面４３ｄとが対応しており、これによって回転レール２３の前後のガタツキを防止できる。しかも、係合具４５及び被係合具４３には、その被案内面４５ｄ、受け面４３ｄの上側に平坦面４５ｃ，４３ｃがあり、その平坦面４５ｃ，４３ｃが前後に対向しているので、回転レール２３側に前後方向の外力が作用した場合にも、係合具４５を支軸４６廻りにアンロック方向に回動させるような分力が生じることはなく、レールロック手段３９により回転レール２３を確実にロック状態に維持できる。
【００８０】
図３２は本発明の第６の実施例を例示する。この回転止め手段２６は図３２（Ａ）〜（Ｅ）に示すように構成することも可能である。即ち、係合子３２は（Ａ）に示すように下向きの半球体３２ａ、（Ｂ）に示すように下端に半球部３２ｂを有する円柱体３２ｃ、（Ｃ）に示すように下端に円錐部３２ｄ又は三角錐部を有する円柱体３２ｃ、（Ｄ）に示すように下端に截頭円錐部３２ｅを有する円柱体３２ｃ、（Ｅ）に示すように下向きの円錐体、三角錐体等の錐体３２ｆ等により構成してもよい。係合凹部３０ａと、その外周のテーパー状等の案内部９８ｂは、固定ブラケット３０に直接形成してもよいし、雄ネジ体９８に形成してもよい。
【００８１】
以上、本発明の各実施例について詳述したが、本発明はこれらの実施例に限定されるものではなく、その他種々の態様で実施することができる。例えば伸縮扉体４は、パンタグラフ機構１０に多数の縦桟１１を取り付けたものを例示しているが、縦桟１１のないものでもよいし、複数枚の扉体をヒンジ手段６でジグザグ状に折り畳み可能に連結して伸縮自在に構成したものでもよい。
【００８２】
ガイドレール３、戸車５は、例えば戸車枠３４の片側に車輪３５を備えた戸車５を採用する等、ガイドレール３に沿って戸車５が走行できるものであれば、他の形式のものでもよい。戸車５の車輪３５は戸車枠３４の片側又は両側に１個でもよいし、３個以上でもよい。
【００８３】
レールロック手段３９の被係合具４３は、固定レール２２に設ける他、上枠２等の固定側に設けてもよい。レールロック手段３９はレールロック操作手段６３との関係上、係合具４５が被係合具４３に対して上側から係脱自在に係合することが望ましいが、被係合具４３に対して係合具４５が回転レール２３側からその長手方向に係脱するように構成する等、他の係脱構造を採用してもよい。この場合、レールロック操作手段６３にカム機構を採用する等によって、係合具４５を十分に係脱操作することができる。操作ロッド６６の保持手段６９は、落とし棒１４，１７と同様に板バネ７７，８４を使用してもよい。
【００８４】
戸車ロック手段４０は、ロックピン４９を一対の車輪３５間に出退させるようにしているが、戸車枠３４、車輪３５等に係合部を設け、その係合部にロックピン４９が係合する等、要するに戸車５を回転レール２３に対してロックできるものであればよい。また戸車ロック手段４０は戸車５を回転レール２３に対して略完全に固定する必要はなく、移動端側の戸車５に対してその前側、即ち固定レール２２側にロックピン４９を係合させる等により、戸車５が回転レール２３から外れないようにすれば十分である。
【００８５】
戸車ロック操作手段４１は、他の構成のものでもよい。例えば、被押圧部材５１をロックピン４９から上枠２又は固定レール２２に向かって前側へと突出させて設け、上枠２又は固定レール２２の後面で被押圧部材５１を操作するようにしてもよい。この場合には、上枠２又は固定レール２２の後面が押圧部材５２として機能する。ロックピン４９はその基部を軸で枢支し、回転運動によって戸車５に係脱するようにしてもよい。その場合、ロックピン４９は軸に套嵌されたつる巻きバネで付勢してもよいし、引っ張りバネで付勢してもよい。
【００８６】
主補強具５４はそのレール取り付け部５４ｂの下面に回転レール２３を取り付けるようにしてもよい。その場合、主補強具５４のレール取り付け部５４ｂの幅を回転レール２３に、枠取り付け部５４ｃの幅を吊り元側端枠８の端壁部８ａに夫々合わせてもよい。角度調整手段５８は主補強具５４の枠取り付け部５４ｃと吊り元側端枠８の端壁部８ａとの間、レール取り付け部５４ｂと回転レール２３との間に夫々設けてもよいし、その何れか一方のみでもよい。
【００８７】
回転止め手段２６は、伸縮扉体４のヒンジ手段６の縦軸２５廻りの双方向の回転時に双方向から係脱する双方向係脱式のものであれば十分である。また係合凹部３０ａと係合子３２とを備えた回転止め手段２６を採用する場合にも、実施例とは逆に係合凹部３０ａを可動ブラケット３１の下面に設け、係合子３２を固定ブラケット３０に上向きに設けてもよい。
【００８８】
保持部材９５はガイドレール３により案内されながら、移動端側の戸車５と協働して移動側端枠９を所定姿勢に保持するものであれば、案内ローラ９７以外のもの、例えばガイドレール３により摺動自在に案内される単なる突起等でもよい。角度調整手段５８は主補強具５４と回転レール２３との間に設けてもよいし、主補強具５４と吊り元側端枠８間、及び主補強具５４と回転レール２３間の両方に設けてもよい。
【００８９】
この吊り下げ式伸縮扉は、左右一対の伸縮扉体４が左右両側で伸縮して開閉する両開き式を例示しているが、一方側の伸縮扉体４のみとし、その移動側端枠９（戸当たり側端枠）が戸当たり支柱に当接して施錠する片開き式でもよい。また門扉の他、間仕切り、雨戸、その他に使用する各種のつり下げ式伸縮扉においても応用可能である。
【図面の簡単な説明】
【００９０】
【図１】本発明の第１の実施例を示す吊り下げ式伸縮扉の概略立面図である。
【図２】本発明の第１の実施例を示す吊り下げ式伸縮扉の概略平面図である。
【図３】本発明の第１の実施例を示す収縮状態の立面図である。
【図４】本発明の第１の実施例を示す回転レール取り付け部分の分解斜視図である。
【図５】本発明の第１の実施例を示す回転レール取り付け部分の側面断面図である。
【図６】本発明の第１の実施例を示す回転レール取り付け部分の平面断面図である。
【図７】本発明の第１の実施例を示す回転レール取り付け部分の正面断面図である。
【図８】本発明の第１の実施例を示す回転止め手段等の側面断面図である。
【図９】本発明の第１の実施例を示すレールロック手段等を含む要部の一部切欠き正面図である。
【図１０】本発明の第１の実施例を示すレールロック手段、戸車ロック手段等を含む要部の一部切欠き側面図である。
【図１１】本発明の第１の実施例を示すレールロック手段、戸車ロック手段等を含む要部の平面断面図である。
【図１２】本発明の第１の実施例を示すレールロック操作手段等を含む要部の一部切欠き側面図である。
【図１３】本発明の第１の実施例を示す落とし棒等を含む一部切欠き側面図である。
【図１４】本発明の第１の実施例を示すレールロック操作手段等を含む要部の平面断面図である。
【図１５】本発明の第１の実施例を示す落とし棒等を含む平面断面図である。
【図１６】本発明の第１の実施例を示す連結部材、落とし棒等を含む正面断面図である。
【図１７】本発明の第１の実施例を示す連結部材、落とし棒等を含む平面断面図である。
【図１８】本発明の第１の実施例を示す連結部材、落とし棒等を含む側面断面図である。
【図１９】本発明の第１の実施例を示す回転収納途中の平面図である。
【図２０】本発明の第１の実施例を示す回転レールの角度調整時の説明図である。
【図２１】本発明の第２の実施例を示す吊り下げ式伸縮扉の概略立面図である。
【図２２】本発明の第２の実施例を示す吊り下げ式伸縮扉の下部の断面図である。
【図２３】本発明の第２の実施例を示す吊り下げ式伸縮扉の下部の断面図である。
【図２４】本発明の第３の実施例を示す戸車、保持部材を含む要部の一部切欠き正面図である。
【図２５】本発明の第３の実施例を示す戸車、保持部材を含む要部の側面断面図である。
【図２６】本発明の第３の実施例を示す戸車、保持部材を含む要部の平面断面図である。
【図２７】本発明の第４の実施例を示す回転止め手段の断面図である。
【図２８】本発明の第５の実施例を示すレールロック手段等を含む要部の一部切欠き正面図である。
【図２９】本発明の第５の実施例を示すレールロック手段、戸車ロック手段等を含む要部の一部切欠き側面図である。
【図３０】本発明の第５の実施例を示すレールロック手段、戸車ロック手段等を含む要部の側面断面図である。
【図３１】本発明の第５の実施例を示すレールロック手段、戸車ロック手段等を含む要部の平面断面図である。
【図３２】本発明の第６の実施例を示す回転止め手段の断面図である。
【符号の説明】
【００９１】
３  ガイドレール
４  伸縮扉体
５  戸車
６  ヒンジ手段
８  吊り元側端枠
９  移動側端枠
２０  車輪走行部
２１  開口部
２２  固定レール
２３  回転レール
２６  回転止め手段
３０  固定ブラケット
３１  可動ブラケット
３０ａ  係合凹部
３２  係合子
３５  車輪
３８  レール受け具
３９  レールロック手段
４０  戸車ロック手段
４１  戸車ロック操作手段
４３  被係合具
４５  係合具
４４  支持具
４４ａ  係合部
４９  ロックピン
５０  バネ
５１  被押圧部材
５２  押圧部材
５４  主補強具
５５  副補強具
５４ａ  レール取り付け部
５４ｂ  枠取り付け部
６３  レールロック操作手段
６６  操作ロッド
６９  保持手段
９５  保持部材
９６  縦軸
９７  案内ローラ
Ａ  回転収納位置
Ｂ  接続位置
【図１】
2006274553.tif 000003
【図２】
2006274553.tif 000004
【図３】
2006274553.tif 000005
【図４】
2006274553.tif 000006
【図５】
2006274553.tif 000007
【図６】
2006274553.tif 000008
【図７】
2006274553.tif 000009
【図８】
2006274553.tif 000010
【図９】
2006274553.tif 000011
【図１０】
2006274553.tif 000012
【図１１】
2006274553.tif 000013
【図１２】
2006274553.tif 000014
【図１３】
2006274553.tif 000015
【図１４】
2006274553.tif 000016
【図１５】
2006274553.tif 000017
【図１６】
2006274553.tif 000018
【図１７】
2006274553.tif 000019
【図１８】
2006274553.tif 000020
【図１９】
2006274553.tif 000021
【図２０】
2006274553.tif 000022
【図２１】
2006274553.tif 000023
【図２２】
2006274553.tif 000024
【図２３】
2006274553.tif 000025
【図２４】
2006274553.tif 000026
【図２５】
2006274553.tif 000027
【図２６】
2006274553.tif 000028
【図２７】
2006274553.tif 000029
【図２８】
2006274553.tif 000030
【図２９】
2006274553.tif 000031
【図３０】
2006274553.tif 000032
【図３１】
2006274553.tif 000033
【図３２】
2006274553.tif 000034